(57)【要約】【課題】チェーン性能を簡単にかつ低コストで測定することができる、チェーン稼働状態測定装置を得ることにある。【解決手段】被測定部材（１０）に固定される半導体ひずみゲージ（２０）と、半導体ひずみゲージの出力を無線送信する被測定部材に固定される集積回路からなる送信モジュール（３０）と、半導体ひずみゲージ及び送信モジュールに電力を供給する被測定部材に固定される小型電池（４０）とからなる。【選択図】図１
2006071452.tif 000002
【特許請求の範囲】
【請求項１】
チェーンリンク等の被測定部材に固定される半導体ひずみゲージと、該半導体ひずみゲージの出力を無線送信する前記被測定部材に固定される集積回路からなる送信モジュールと、前記半導体ひずみゲージ及び前記送信モジュールに電力を供給する前記被測定部材に固定される給電手段とからなることを特徴とするチェーン稼働状態測定装置。
【請求項２】
前記給電手段が、複数の小型電池からなり、複数のリンクに分割されて固定されることを特徴とする請求項１に記載のチェーン稼働状態測定装置。
【発明の詳細な説明】
【技術分野】
【０００１】
この発明は、チェーン稼働状態測定装置に係わり、更に詳しくは、チェーンの張力を測定する装置に関している。
【背景技術】
【０００２】
従来、チェーン稼働状態の測定、例えば、チェーンの張力の測定は、金属抵抗線を用いたひずみゲージからなるセンサを被測定部材としてのチェーンのリンクに取り付け、センサと解析装置とをワイヤによって接続することで行なっている。
【０００３】
他の測定方法として、ひずみゲージの出力を無線送信機によって受信装置に送信することも知られている。
【発明の開示】
【発明が解決しようとする課題】
【０００４】
しかしながら、センサと解析装置とをワイヤによって接続する測定方法では、チェーンの回転に伴って、ワイヤが絡むあるいはねじれるため、チェーンを連続回転させることができず、測定にかなりの手間を要している。一方、ひずみゲージの出力を無線送信機によって受信装置に送信する測定方法では、ワイヤーの絡みに係わる問題はなくなるが、ひずみゲージの出力が小さいため、無線送信機に増幅回路やセンサ校正回路を組み込まなければならず、大型で高価となものとなっている。
【０００５】
そこで、本発明の目的は、チェーンの稼働状態をより小型、軽量かつ低コストで測定することができる、チェーン性能測定装置を提供することにある。
【課題を解決するための手段】
【０００６】
上記目的を達成するために、請求項１に記載のチェーン稼働状態測定装置は、被測定部材に固定される半導体ひずみゲージと、半導体ひずみゲージの出力を無線送信する被測定部材に固定される集積回路からなる送信モジュールと、半導体ひずみゲージ及び送信モジュールに電力を供給する被測定部材に固定される何らかの給電手段とからなることを特徴とする。
【０００７】
請求項２に記載のチェーン稼働状態測定装置は、請求項１に記載のチェーン稼働状態測定装置の構成に加えて、給電手段が、複数のリンクに分割固定された複数の小型電池からなり、半導体ひずみゲージ及び送信モジュールに電力を供給していることを特徴とする。
【発明の効果】
【０００８】
請求項１のチェーン稼働状態測定装置は、被測定部材に固定される半導体ひずみゲージと、半導体ひずみゲージの出力を無線送信する被測定部材に固定される集積回路からなる送信モジュールと、半導体ひずみゲージ及び送信モジュールに電力を供給する被測定部材に固定される何らかの給電手段とからなるため、チェーン性能をより簡単にかつ低コストで測定することができる。
【０００９】
すなわち、半導体ひずみゲージは、その出力が大きく、例えば、金属抵抗線を用いたひずみゲージの５０〜１００倍もあって、増幅回路がなくても、所要の測定を行なうことができるため、送信モジュールの回路構成が簡素になり、低コストかつ小型に集積回路化することができる。加えて、送信モジュールの電力消費が少なく、半導体ひずみゲージと一緒に小容量の給電手段で給電することができるため、金属線ひずみゲージを用いた送信システムに比べて、装置を低コストかつ小型に製造することができる。そして、送信モジュールが小さくなるため、例えば、チェーンのリンクにこれらを簡単に固定することができる。
【００１０】
請求項２のチェーン稼働状態測定装置は、請求項１に記載のチェーン稼働状態測定装置が奏する効果に加えて、小型電池が半導体ひずみゲージ及び送信モジュールの各々に電力を供給する複数の小型電池からなるため、電源が分割され、被測定部材に対する設置の自由度をさらに改善することができる。
【発明を実施するための最良の形態】
【００１１】
以下、図面を参照して、本発明のチェーン稼働状態測定装置の実施例を説明する。図１乃至図３に示すチェーン稼働状態測定装置は、被測定部材がチェーンであり、このチェーンの張力を測定するためのものである。
【００１２】
チェーン１０は、図２及び図３に示すように、内リンク１１及び外リンク１２の両端をピン１３によって屈曲可能に連結されている。このチェーン１０は、スプロケット１４，１５に巻き掛けられ、一方のスプロケット１４をモータ等によって駆動することで矢印Ａの方向に回転する。
【００１３】
半導体ひずみゲージ２０が外リンク１２に取り付けられている。取り付けは、チェーン１０の張力変化によって半導体ひずみゲージ２０が電気信号を出力するように、半導体ひずみゲージ２０を外リンク１２の上に配置すると共に、図３に示すように、接着剤２１によって外リンク１２に固定し、コーティング材２２によって覆うことによってなされている。
【００１４】
別の外リンク１２には、送信モジュール３０が取り付けられ、ワイヤー３１によって半導体ひずみゲージ２０に電気接続されている。この送信モジュール３０は、半導体ひずみゲージを一辺とするブリッジ回路および送信回路を含む半導体集積回路からなっており、ひずみゲージに対する増幅回路や校正回路を備えていない。送信回路の発振回路には振動による影響の少ないＳＡＷ共振子を用いている。この送信モジュール３０も、外リンク１２に接着剤によって固定されていると共に、コーティング材によって覆われている。
【００１５】
そして、更に別の外リンク１２には、電源としてのボタン形電池が接着剤によって固定されていると共に、コーティング材によって覆われている。ボタン形電池は、二つ４０ａ，４０ｂあり、ボタン形電池４０ａは、ワイヤー４１ａによって送信モジュール３０に電気接続されている。ボタン形電池４０ｂは、ワイヤー４１ｂによって半導体ひずみゲージ２０に電気接続されている。このため、電源が分割され、設置の自由度が高い。
【００１６】
受信装置５０は、送信モジュール３０からの信号を受信することができる受信回路をもつもので、チェーン１０から独立して配置されている。
【００１７】
このようなチェーン稼働状態測定装置では、チェーン１０が回転すると、チェーン張力によって外リンク１２が伸縮する。半導体ひずみゲージ２０が外リンク１２のこの伸縮を電気信号に変換し、送信モジュール３０に出力する。受信装置５０は、送信モジュール３０のアンテナ３２からの信号をアンテナ５１によって受信し、解析装置等に出力する。
【００１８】
このとき、受信装置５０は、送信モジュール３０から出力される電波強度に応じて、アンテナ５１が送信モジュール３０の電界内に常に位置するようにする。例えば、受信装置５０は、アンテナ５１を、チェーン１０の経路の上にあるいは送信モジュール３０の軌跡の上にあるように配置して、送信モジュール３０からの電波を常に確実にキャッチするようにさせる。さらに、必要に応じて、もう一つの補完受信装置を用意し、チェーン経路における受信状態の悪い場所に配置し、受信装置５０の受信を補完する。
【００１９】
本発明によるチェーン稼働状態測定装置は、このように、半導体ひずみゲージ２０の出力が大きく、送信モジュール３０の回路に増幅回路や校正回路を必要とせず、回路構成がきわめて簡単になり、さらに、半導体ひずみゲージ２０及び送信モジュール３０の電力消費が少ないため、装置製造を低コストで行なえる。更に、半導体ひずみゲージ２０、送信モジュール３０及び電池等の給電手段４０を外リンク１２やシャフト等の被測定部材に単に装着するだけで所要の測定を行なうことができるため、測定作業も簡単にかつ低コストで行なえる。また、小型かつ軽量であるためチェーンの動きそのものに及ぼす影響が小さく、チェーンの稼働状態を高精度に測定することができる。
【００２０】
なお、以上説明した実施例において、ディスクリートな構成となっているが、印刷配線板に送信モジュール３０及び小型電池４０を実装する等してもよい。
【図面の簡単な説明】
【００２１】
【図１】本発明のチェーン稼働状態測定装置の一実施例の構成を示す説明図。
【図２】図１に示すチェーン稼働状態測定装置の拡大斜視図。
【図３】図２の３−３線に沿う拡大断面図。
【符号の説明】
【００２２】
１０・・・チェーン
１１・・・内リンク
１２・・・外リンク
１３・・・ピン
１４・・・スプロケット
１５・・・スプロケット
２０・・・半導体ひずみゲージ
２１・・・接着剤
２２・・・コーティング材
３０・・・送信モジュール
３２・・・アンテナ
４０・・・小型電池（ボタン形電池）
５０・・・受信装置
５１・・・アンテナ
【図１】
2006071452.tif 000003
【図２】
2006071452.tif 000004
【図３】
2006071452.tif 000005